(57)【要約】【課題】解像度が比較的高くないＣＣＤカメラを使用して、高解像度のフラットディスプレイにおける表示素子を検査する場合、フラット液晶ディスプレイにおける表示素子の検査精度が低下することがなく、しかも、フラット液晶ディスプレイにおける表示素子の検査速度が低下しないフラット液晶ディスプレイにおける表示素子の検査装置を提供することを目的とするものである。【解決手段】１つのフラットディスプレイの表示素子を撮像する複数のＣＣＤカメラにおける各検査領域が互いに隣接するように、ＣＣＤカメラをセットし、１つのＣＣＤカメラが出力した画像と、他のＣＣＤカメラが出力した画像とを処理することによって、１つのフラットディスプレイの表示素子を検査するフラット液晶ディスプレイにおける表示素子の検査装置である。【選択図】  図１
2004226083.tif 000002
【特許請求の範囲】
【請求項１】
１つのフラットディスプレイの表示素子を撮像する複数のＣＣＤカメラと；
上記複数のＣＣＤカメラにおける各検査領域が、互いに隣接またはオーバーラップするように、上記ＣＣＤカメラをセットするカメラセット手段と；
上記複数のＣＣＤカメラにおける１つのＣＣＤカメラが出力した画像と、上記複数のＣＣＤカメラにおける他のＣＣＤカメラが出力した画像とを処理することによって、１つのフラットディスプレイの表示素子を検査する表示素子検査手段と；
を有することを特徴とするフラット液晶ディスプレイにおける表示素子の検査装置。
【請求項２】
請求項１において、
上記表示素子検査手段は、
上記複数のＣＣＤカメラにおける１つのＣＣＤカメラが出力した画像と、上記複数のＣＣＤカメラにおける他のＣＣＤカメラが出力した画像とを接合する画像接合手段と；
上記画像接合手段が接合した画像について信号処理する信号処理手段と；
を有する手段であることを特徴とするフラット液晶ディスプレイにおける表示素子の検査装置。
【請求項３】
請求項１において、
上記表示素子検査手段は、上記複数のＣＣＤカメラにおける１つのＣＣＤカメラが出力した画像について信号処理し、また、上記複数のＣＣＤカメラにおける他のＣＣＤカメラが出力した画像について信号処理することによって、上記１つのフラットディスプレイの表示素子を検査する手段であることを特徴とするフラット液晶ディスプレイにおける表示素子の検査装置。
【請求項４】
請求項１において、
上記カメラセット手段は、上記複数のＣＣＤカメラにおける１つのＣＣＤカメラが出力した画像の長辺と、上記複数のＣＣＤカメラにおける他のＣＣＤカメラが出力した画像の長辺とが隣接またはオーバーラップするように、上記ＣＣＤカメラをセットする手段であることを特徴とするフラット液晶ディスプレイにおける表示素子の検査装置。
【請求項５】
請求項４において、
上記表示素子検査手段は、上記複数のＣＣＤカメラにおける１つのＣＣＤカメラが出力した画像の長辺と、上記複数のＣＣＤカメラにおける他のＣＣＤカメラが出力した画像の長辺とがオーバーラップした部分の信号を処理する手段であることを特徴とするフラット液晶ディスプレイにおける表示素子の検査装置。
【請求項６】
請求項１において、
上記複数のＣＣＤカメラは、互いに隣接していることを特徴とするフラット液晶ディスプレイにおける表示素子の検査装置。
【発明の詳細な説明】
【０００１】
【発明の属する技術分野】
本発明は、液晶ディスプレイ、プラズマ液晶ディスプレイ等（以下、「液晶ディスプレイ」という）における表示素子の検査装置に関する。
【０００２】
【従来の技術】
従来のフラット液晶ディスプレイにおける表示素子の検査装置は、検査対象であるディスプレイをＣＣＤカメラが撮像し、このＣＣＤカメラが出力した画像信号を処理し、上記ディスプレイに設けられている表示素子の良否を判定する。
【０００３】
つまり、上記ＣＣＤカメラが出力した画像信号において、表示素子に対応する各部分の検出光度が、所定の基準を下回っていれば、その所定基準を下回っている表示素子が欠陥表示素子であると判断する。
【０００４】
【発明が解決しようとする課題】
ところで、近年のフラットディスプレイの解像度が著しく向上する一方、ディスプレイに設けられている表示素子を通過した光の量を検出する検出光度取り込み用ＣＣＤカメラの解像度は、それ程は向上していない。
【０００５】
解像度が向上していないＣＣＤカメラを使用し、解像度が著しく向上したフラットディスプレイの表示素子を検査する場合、ディスプレイにおける１つの表示素子当たりの光量が少なくなるので、フラット液晶ディスプレイにおける表示素子の検査精度が低下するという問題がある。
【０００６】
この問題を解決するには、ＣＣＤカメラをディスプレイに近づけることによって、検査精度を維持することが考えられる。
【０００７】
しかし、ＣＣＤカメラをディスプレイに近づけると、撮像領域が狭くなるので、たとえば、１つのＣＣＤカメラをディスプレイに近づけ、１つのディスプレイの半分の領域をＣＣＤカメラが撮像し、その後、ＣＣＤカメラとディスプレイとを相対的に移動し、ディスプレイのうちで撮像していない領域を撮像することが考えられる。このようにした場合には、１つのディスプレイについて、一旦撮像した後に、再び撮像する必要があり、フラット液晶ディスプレイにおける表示素子の検査速度が低下するという問題がある。
【０００８】
本発明は、解像度が比較的高くないＣＣＤカメラを使用して、高解像度のフラットディスプレイにおける表示素子を検査する場合、フラット液晶ディスプレイにおける表示素子の検査精度が低下することがなく、しかも、フラット液晶ディスプレイにおける表示素子の検査速度が低下しないフラット液晶ディスプレイにおける表示素子の検査装置を提供することを目的とするものである。
【０００９】
【課題を解決するための手段】
本発明は、１つのフラットディスプレイの表示素子を撮像する複数のＣＣＤカメラにおける各検査領域が互いに隣接またはオーバーラップするように、上記ＣＣＤカメラをセットし、上記複数のＣＣＤカメラにおける１つのＣＣＤカメラが出力した画像と、上記複数のＣＣＤカメラにおける他のＣＣＤカメラが出力した画像とを処理することによって、１つのフラットディスプレイの表示素子を検査するフラット液晶ディスプレイにおける表示素子の検査装置である。
【００１０】
【発明の実施の形態および実施例】
図１は、本発明の一実施例であるフラット液晶ディスプレイにおける表示素子の検査装置ＦＤＣ１を示す概念図である。
【００１１】
フラット液晶ディスプレイにおける表示素子の検査装置ＦＤＣ１は、画像処理部１０と、ＣＣＤカメラＣ１、Ｃ２とを有する。表示素子の検査装置ＦＤＣ１が検査する対象は、フラットディスプレイの一例としてのＬＣＤパネル２０であり、ＬＣＤパネル２０は、バックライト３０が照射した光を透過し、ＲＧＢを発光するものである。
【００１２】
ＣＣＤカメラＣ１、Ｃ２は、１つのフラットディスプレイであるＬＣＤパネル２０の表示素子を撮像する複数のＣＣＤカメラの例である。
【００１３】
これらＣＣＤカメラＣ１、Ｃ２には、図示しないカメラセット手段が設けられている。このカメラセット手段は、複数のＣＣＤカメラＣ１、Ｃ２の各検査領域が互いに隣接するように、ＣＣＤカメラＣ１、Ｃ２をセットする手段である。
【００１４】
画像処理部１０は、複数のＣＣＤカメラＣ１、Ｃ２における１つのＣＣＤカメラＣ１が出力した画像と、複数のＣＣＤカメラＣ１、Ｃ２における他のＣＣＤカメラＣ２が出力した画像とを処理することによって、１つのフラットディスプレイであるＬＣＤパネル２０の表示素子を検査する表示素子検査手段の例である。
【００１５】
また、画像処理部１０は、上記複数のＣＣＤカメラにおける１つのＣＣＤカメラが出力した画像と、上記複数のＣＣＤカメラにおける他のＣＣＤカメラが出力した画像とを接合する画像接合手段と、上記画像接合手段が接合した画像について信号処理する信号処理手段とを有する表示素子検査手段の例である。
【００１６】
次に、上記実施例の動作について説明する。
【００１７】
図２は、ＣＣＤカメラＣ１の解像度を示す図である。
【００１８】
ＣＣＤカメラＣ１は、通常の検査設備に使用するカメラであり、その解像度は、最大解像度が４０００ドット×２５００ドット程度であり、ＣＣＤカメラＣ２の解像度は、ＣＣＤカメラＣ１の解像度と同じである。
【００１９】
ＬＣＤパネル２０における１ピクセル内のＲＧＢ毎に測定するので、被測定物の持つ解像度の３倍の解像度が必要である。したがって、１つのＣＣＤカメラＣ１を使用した場合、ＸＧＡ（１０２４×７６８）までの解像度を持つＬＣＤパネルを検査することができる。
【００２０】
図３は、表示素子の検査装置ＦＤＣ１における解像度を示す図である。
【００２１】
図３において、解像度Ｒｃ１は、図１に示す左半分の領域２１を撮像した場合に、ＣＣＤカメラＣ１が読み取る領域における解像度であり、４０００ドット×２５００ドットである。また、解像度Ｒｃ２は、、図１に示す右半分の領域２２を撮像した場合に、ＣＣＤカメラＣ２が読み取る領域における解像度であり、４０００ドット×２５００ドットである。
【００２２】
これらを合計すると、４０００ドット×２５００ドット＋４０００ドット×２５００ドット＝４０００ドット×５０００ドットになり、ＵＸＧＡ（１６００×１２００）の解像度を持つＬＣＤパネルを、一度で検査することができる。
【００２３】
なお、画像処理部１０における上記表示素子検査手段は、複数のＣＣＤカメラＣ１、Ｃ２における１つのＣＣＤカメラＣ１が出力した画像について信号処理し、また、複数のＣＣＤカメラＣ１、Ｃ２における他のＣＣＤカメラＣ２が出力した画像について信号処理することによって、１つのフラットディスプレイであるＬＣＤパネル２０の表示素子を検査する。
【００２４】
この場合、上記カメラセット手段は、複数のＣＣＤカメラＣ１、Ｃ２における１つのＣＣＤカメラＣ１が出力した画像の長辺と、複数のＣＣＤカメラＣ１、Ｃ２における他のＣＣＤカメラＣ２が出力した画像の長辺とが隣接するように、ＣＣＤカメラＣ１、Ｃ２をセットする。
【００２５】
上記実施例では、複数のＣＣＤカメラＣ１、Ｃ２における１つのＣＣＤカメラＣ１が出力した画像の長辺と、複数のＣＣＤカメラＣ１、Ｃ２における他のＣＣＤカメラＣ２が出力した画像の長辺とが、隣接するが、このようにする代わりに、複数のＣＣＤカメラＣ１、Ｃ２における１つのＣＣＤカメラＣ１が出力した画像の長辺と、複数のＣＣＤカメラＣ１、Ｃ２における他のＣＣＤカメラＣ２が出力した画像の長辺とが、ある程度、オーバーラップするように、ＣＣＤカメラＣ１、Ｃ２をセットするようにしてもよい。
【００２６】
このように、長辺同士がオーバーラップする場合には、複数のＣＣＤカメラＣ１、Ｃ２における１つのＣＣＤカメラＣ１が出力した画像の長辺と、複数のＣＣＤカメラＣ１、Ｃ２における他のＣＣＤカメラＣ２が出力した画像の長辺とがオーバーラップした部分の信号を処理する。たとえば、オーバーラップした部分のうちで、いずれか一方の信号を無視するか、１つの表示素子に関する２つのデータを平均するか、または、表示素子の位置に応じて、そのデータを重み付けするようにしてもよい。表示素子の位置に応じて、そのデータを重み付けする場合、ＣＣＤカメラＣ１、Ｃ２の光軸から遠くなるに従って、データの重みを軽くするようにしてもよい。
【００２７】
上記実施例において、複数のＣＣＤカメラＣ１、Ｃ２自体が、互いに隣接しているが、複数のＣＣＤカメラにおける各検査領域が互いに隣接またはオーバーラップするのであれば、ＣＣＤカメラＣ１とＣ２とを離してセットする（配置する）ようにしてもよい。
【００２８】
また、上記実施例は、２つのＣＣＤカメラを使用しているが、３つ以上のＣＣＤカメラを使用するようにしてもよい。
【００２９】
この場合、複数のＣＣＤカメラにおける各検査領域が互いに隣接またはオーバーラップするように、ＣＣＤカメラをセットし、また、複数のＣＣＤカメラにおける１つのＣＣＤカメラが出力した画像と、上記複数のＣＣＤカメラにおける他のＣＣＤカメラが出力した画像とを処理することによって、１つのフラットディスプレイの表示素子を検査する。
【００３０】
たとえば、４つのＣＣＤカメラを使用し、そのうちの２つのＣＣＤカメラにおける各検査領域が互いに隣接またはオーバーラップするように、２つのＣＣＤカメラをセットし、第１の拡大された検査領域を構築し、残りの２つのＣＣＤカメラにおける各検査領域が互いに隣接またはオーバーラップするように、残りの２つのＣＣＤカメラをセットし、第２の拡大された検査領域を構築し、これら第１、第２の２つの拡大された検査領域同士が互いに隣接またはオーバーラップするにように、４つのＣＣＤカメラをセットするようにしてもよい。このようにすれば、ＬＣＤパネル２０の解像度が４倍になったとしても、検査精度が低下することがなく、また、検査速度が低下することがない。
【００３１】
【発明の効果】
本発明によれば、解像度が比較的高くないＣＣＤカメラを使用して、高解像度のフラットディスプレイにおける表示素子を検査する場合、フラット液晶ディスプレイにおける表示素子の検査精度が低下することがなく、しかも、フラット液晶ディスプレイにおける表示素子の検査速度が低下しないという効果を奏する。
【図面の簡単な説明】
【図１】本発明の一実施例であるフラット液晶ディスプレイにおける表示素子の検査装置ＦＤＣ１を示す概念図である。
【図２】ＣＣＤカメラＣ１の解像度を示す図である。
【図３】表示素子の検査装置ＦＤＣ１における解像度を示す図である。
【符号の説明】
ＦＤＣ１…フラット液晶ディスプレイにおける表示素子の検査装置、
１０…画像処理部、
Ｃ１、Ｃ２…ＣＣＤカメラ、
２０…フラットディスプレイの一例としてのＬＣＤパネル、
３０…バックライト。
【図１】
2004226083.tif 000003
【図２】
2004226083.tif 000004
【図３】
2004226083.tif 000005